(57)【要約】【課題】吸着手段を備える撮像装置の携帯性を損なうことなく、電柱や標識のポール等の湾曲面に対して撮像装置を安定した状態で吸着させる仕組みを提供する。【解決手段】撮像装置１には、装置本体２の外装に設けられる基材３４と、弾性を有する第１の緩衝部材３２と、弾性を有する第２の緩衝部材３３と、粘着性及び柔軟性を有する吸着素材３１とを備える吸着手段３０が設けられる。吸着手段３０は、基材３１に対して、第２の緩衝部材３３、第１の緩衝部材３２、及び吸着素材３１が順番に積層され、第１の緩衝部材３２は、吸着素材３１より面積が小さく、第２の緩衝部材３３は、第１の緩衝部材３２より面積が小さくなっている。【選択図】図４
2015219264.tif 000002
【特許請求の範囲】
【請求項１】
装置本体の外装に設けられる基材と、弾性を有する第１の緩衝部材と、弾性を有する第２の緩衝部材と、粘着性及び柔軟性を有する吸着素材とを備える吸着手段が設けられる撮像装置であって、
前記吸着手段は、前記基材に対して、前記第２の緩衝部材、前記第１の緩衝部材、及び前記吸着素材が順番に積層され、前記第１の緩衝部材は、前記吸着素材より面積が小さく、前記第２の緩衝部材は、前記第１の緩衝部材より面積が小さいことを特徴とする撮像装置。
【請求項２】
前記吸着素材、前記第１の緩衝部材、及び前記第２の緩衝部材のそれぞれの弾性率は、前記吸着素材の弾性率＞前記第１の緩衝部材の弾性率≧前記第２の緩衝部材の弾性率の関係を満たすことを特徴とする請求項１に記載の撮像装置。
【請求項３】
前記第２の緩衝部材の中心位置は、前記撮像装置の重心位置に略一致することを特徴とする請求項１又は２に記載の撮像装置。
【請求項４】
前記吸着素材は、矩形状に形成され、前記第１の緩衝部材の厚さｔ１と前記吸着素材の長辺方向と同方向の前記第１の緩衝部材の幅ｗ１との比ｔ１／ｗ１は、０．１≧ｔ１／ｗ１≧０．０５の関係を満たし、前記第２の緩衝部材の厚さｔ２と前記吸着素材の長辺方向と同方向の前記第２の緩衝部材の幅ｗ２との比ｔ２／ｗ２は、０．２≧ｔ２／ｗ２≧０．０７５の関係を満たすことを特徴とする請求項１乃至３のいずれか一項に記載の撮像装置。
【発明の詳細な説明】
【技術分野】
【０００１】
本発明は、吸着手段を備えるデジタルカメラやデジタルビデオカメラ等の撮像装置に関し、特に電柱や標識のポール等の円筒面に吸着可能な撮像装置に関する。
【背景技術】
【０００２】
デジタルカメラ等の撮像装置では、粘着性を有するゲル素材を用いて壁面などの被吸着面に吸着させる吸着手段を備えるものがある。このような吸着手段を備えることで、ゲルの柔軟性を利用して多様な壁面へのカメラの設置が可能となり、三脚を用いなくても撮影者本人を被写体として撮影できるいわゆる自分撮りを含めた多彩な撮影を行うことができる。
【０００３】
また、屋外で被写体を背景にして自分撮りを行う場合、カメラを電柱や標識のポール等に吸着させて撮影したい場合がある。従来、電柱や標識のポール等の被吸着面が湾曲面である場合にも、被吸着面に対して安定した状態で吸着させることができる吸着装置が提案されている（特許文献１）。この提案では、吸盤の周辺部を被吸着面に押圧し、吸盤の中央部を付勢手段の付勢力により被吸着面から離間させるように作用させている。
【先行技術文献】
【特許文献】
【０００４】
【特許文献１】特開２００８−５１２８６号公報
【発明の概要】
【発明が解決しようとする課題】
【０００５】
しかし、上記特許文献１では、付勢手段が吸盤の吸着面に対して鉛直方向に配置したコイルスプリング等で構成されているため、吸着装置の厚みが厚くなる。そのため、カメラのような携帯機器に上記特許文献１の吸着装置を搭載すると、吸着装置を含むカメラの厚みが厚くなり、携帯性が損なわれてしまう。
【０００６】
そこで、本発明は、吸着手段を備える撮像装置の携帯性を損なうことなく、電柱や標識のポール等の湾曲面に対して撮像装置を安定した状態で吸着させることができる仕組みを提供することを目的とする。
【課題を解決するための手段】
【０００７】
上記目的を達成するために、本発明は、装置本体の外装に設けられる基材と、弾性を有する第１の緩衝部材と、弾性を有する第２の緩衝部材と、粘着性及び柔軟性を有する吸着素材とを備える吸着手段が設けられる撮像装置であって、前記吸着手段は、前記基材に対して、前記第２の緩衝部材、前記第１の緩衝部材、及び前記吸着素材が順番に積層され、前記第１の緩衝部材は、前記吸着素材より面積が小さく、前記第２の緩衝部材は、前記第１の緩衝部材より面積が小さいことを特徴とする。
【発明の効果】
【０００８】
本発明によれば、吸着手段を備える撮像装置の携帯性を損なうことなく、電柱や標識のポール等の湾曲面に対して撮像装置を安定した状態で吸着させることができる。
【図面の簡単な説明】
【０００９】
【図１】（ａ）は本発明の撮像装置の第１の実施形態であるデジタルカメラを正面側（被写体側）から見た図、（ｂ）は（ａ）に示すデジタルカメラの上面図である。
【図２】（ａ）は（ａ）に示すデジタルカメラの表示ユニットを開いた状態を示す図、（ｂ）は（ａ）の上面図である。
【図３】図２（ａ）の背面図である。
【図４】（ａ）はカメラが吸着装置を介して電柱に吸着固定されている状態を示す図、（ｂ）はカメラが吸着装置を介して道路標識等のポールに吸着固定されている状態を示す図である。
【図５】（ａ）は本発明の撮像装置の第２の実施形態であるデジタルカメラの蓋ユニットを開いた状態を示す図、（ｂ）は（ａ）の上面図である。
【図６】図５（ａ）の背面図である。
【図７】（ａ）はカメラが吸着装置を介して電柱に吸着固定されている状態を示す図、（ｂ）はカメラが吸着装置を介して道路標識等のポールに吸着固定されている状態を示す図である。
【発明を実施するための形態】
【００１０】
以下、図面を参照して、本発明の実施形態を説明する。
【００１１】
（第１の実施形態）
図１（ａ）は本発明の撮像装置の第１の実施形態であるデジタルカメラを正面側（被写体側）から見た図、図１（ｂ）は図１（ａ）に示すデジタルカメラの上面図である。
【００１２】
図１に示すように、本実施形態のデジタルカメラ１は、カメラ本体２の正面側にレンズ鏡筒９及びストロボ発光部１２等が設けられ、カメラ本体２の上面部には、モード切替ダイアル６、レリーズボタン７、ズームレバー１１及び電源ボタン８等が設けられる。カメラ本体２の背面側には、液晶等の表示モニタ１０を有する表示ユニット３が配置されている。
【００１３】
表示ユニット３は、カメラ本体２を正面側から見て右側の側部に設けられたヒンジ部４を介してカメラ本体２に対して開閉方向に回動可能に支持されている。また、表示ユニット３は、本実施形態では、閉じ状態でカメラ本体２の背面部中央に設けられる後述する吸着装置３０（図２（ｂ）参照）を覆って保護する蓋部として機能する。カメラ本体２の上面部には、吸着位置を示す指標２０が設けられている。ここで、カメラ本体２は、本発明の装置本体の一例に相当する。
【００１４】
図２（ａ）は図１（ａ）に示すデジタルカメラ１の表示ユニット３を開いた状態を示す図、図２（ｂ）は図２（ａ）の上面図である。図３は、図２（ａ）の背面図である。なお、図２（ｂ）では、吸着装置３０を断面図で示している。
【００１５】
まず、図３を参照して、カメラ本体２の背面部には、表示ユニット３の閉じ状態において、表示ユニット３に設けられた当接部３ａが当接して表示ユニット３の回動を規制する当接部２ａが設けられている。また、カメラ本体２の背面部には、ロック穴２ｂ、及び表示ユニット３の開閉状態を検出するための開閉検出センサ５が設けられている。開閉検出センサ５は、例えば感圧式のセンサで構成され、当接部２ａと当接部３ａとの接触状態を検出することで表示ユニット３の開閉状態を検出する。
【００１６】
一方、表示ユニット３には、上述した当接部３ａの他に、ロックピン３ｂ、スライド部３ｃ、及び収納凹部３ｄが設けられている。ロックピン３ｂは、スライド部３ｃに沿ってスライド可能に設けられている。表示ユニット３の閉じ状態でロックピン３ｂを図３の矢印Ｐ方向へスライド操作してカメラ本体２のロック穴２ｂに係合させることでカメラ本体２に対して表示ユニット３がロック状態となる。
【００１７】
逆に、表示ユニット３のロック状態でロックピン３ｂを図３の矢印Ｑ方向へスライド操作すると、ロックピン３ｂとロック穴２ｂとの係合が解除され、カメラ本体２に対する表示ユニット３のロックが解除されて、表示ユニット３の開閉動作が可能となる。また、収納凹部３ｄには、表示ユニット３を閉じた状態でカメラ本体２の背面部中央に設けられる吸着装置３０が収納される。
【００１８】
次に、吸着装置３０について説明する。吸着装置３０は、電柱や標識のポール等の湾曲面（円筒面）に吸着可能に構成され、図２（ｂ）及び図３に示すように、基材３４に対して、第２の緩衝部材３３、第１の緩衝部材３２、及び吸着素材３１が順番に積層されている。
【００１９】
基材３４は、例えば硬質のエンジニアププラスチック材料で形成され、吸着素材３１、第１の緩衝部材３２及び第２の緩衝部材を支持する。なお、基材３４は、カメラ本体２の背面部外装と一体に成形してもよいし、カメラ本体２と別体に形成して接着等でカメラ本体２の背面部に固定してもよい。
【００２０】
吸着素材３１は、吸着装置３０の最も表面側に配置され、粘着性を有する柔軟なゲル状素材により形成される。吸着素材３１は、その柔軟性を利用して被吸着面に対して隙間なく密着することで吸着する。このようなゲル状素材として、例えばポリエチレン系やスチレン系などの合成樹脂系のゲルが使用可能である。また、第１の緩衝部材３２及び第２の緩衝部材３３は、例えばポリエーテル系あるいはポリエステル系のウレタンフォーム等で形成される。
【００２１】
ここで、基材３４及び吸着素材３１は、共にカメラ本体２の幅方向（図の左右方向）に長い矩形状に形成され、吸着素材３１は、平坦面での吸着領域を確保するため、第１の緩衝部材３２を覆いながら基材３４の全領域に渡って配設されている。
【００２２】
一方、第１の緩衝部材３２は、カメラ本体２を吸着装置３０を介して電柱等に固定する際に弾性変形し、これにより、吸着素材３１が電柱の円筒面に沿って変形しながら電柱に吸着固定されるようになっている。このため、第１の緩衝部材３２の弾性率Ｅ２は、吸着素材３１の弾性率Ｅ１より小さく設定されている。
【００２３】
同様に、第２の緩衝部材３３は、カメラ１を吸着装置３０を介して電柱より小径の標識のポール等に固定する際に、第１の緩衝部材３２と共に弾性変形し、これにより、吸着素材３１がポールの円筒面に沿って変形しながらポールに吸着固定されるようになっている。そのため、第２の緩衝部材３３の弾性率Ｅ３は、第１の緩衝部材３２の弾性率Ｅ２と略同等か弾性率Ｅ２より小さく設定されている。
【００２４】
また、吸着素材３１、第１の緩衝部材３２及び第２の緩衝部材３３の面積は、平面及あるいは曲率の異なる円筒面に対して良好に吸着可能なように、吸着素材３１の面積Ｓ１＞第１の緩衝部材３２の面積Ｓ２＞第２の緩衝部材３３の面積Ｓ３の関係になっている。第２の緩衝部材３３は、基材３４に形成された凹部３４ａに嵌め込まれ、第１の緩衝部材３２は、基材３４に形成された凹部３４ｂに嵌め込まれる。凹部３４ａは、凹部３４ｂの底面に形成され、また、凹部３４ｂに嵌め込まれた第１の緩衝部材３２の表面は、基材３４の表面と略面一になっている。
【００２５】
図４（ａ）は、カメラ１が吸着装置３０を介して電柱５０に吸着固定されている状態を示す図である。なお、図４（ａ）では、吸着装置３０及び電柱５０は、断面図で示している。また、表示ユニット３は、カメラ本体２に対して全開状態（略１８０°）となっている。
【００２６】
カメラ１を吸着装置３０を介して電柱５０に固定する際には、使用者は、カメラ本体２の上面部に設けられた吸着位置を示す指標２０を基準にしてカメラ本体２を吸着装置３０を介して電柱５０に押し付ける。
【００２７】
ここで、指標２０は、カメラ本体２に対して表示ユニット３が開いた状態でカメラ１の図中ｘ方向の重心位置に配置されている。また、本実施形態では、指標２０の位置は、吸着装置３０の第２の緩衝部材３３の図中ｘ方向の中心位置と略一致している。
【００２８】
これにより、カメラ本体２を電柱等の円筒面に固定した際に、図中ｘ−ｙ平面における回転モーメントが発生しないようにして、回転モーメントによる吸着力の低下を防止している。なお、図のｘ方向は、カメラ１の幅方向（図１（ａ）の左右方向）、ｙ方向は、カメラ１の高さ方向（図１（ａ）の上下方向）、ｚ方向は、カメラ１の厚さ方向（図１（ａ）の前後方向）にそれぞれ対応する。
【００２９】
また、第１の緩衝部材３２の厚さｔ１（図２（ｂ）参照）と吸着素材３１の長辺方向（図中ｘ方向）と同方向の第１の緩衝部材３２の幅ｗ１（図３参照）との比ｔ１／ｗ１は、０．１≧ｔ１／ｗ１≧０．０５の関係になるのが好ましい。
【００３０】
これにより、カメラ１の図中ｚ方向の厚さを厚くすることなく、第１の緩衝部材３２を電柱５０の円筒面に沿ってより弾性変形しやすくすることができる。その結果、吸着素材３１が曲率の大きい電柱５０の円筒面に沿って変形して広い面積で吸着し、良好な吸着力を確保することができる。
【００３１】
図４（ｂ）は、カメラ１が吸着装置３０を介して道路標識等のポール５１に吸着固定されている状態を示す図である。なお、図４（ｂ）では、吸着装置３０及びポール５１は、断面図で示している。また、表示ユニット３は、カメラ本体２に対して全開状態（略１８０°）となっている。
【００３２】
カメラ１を吸着装置３０を介して道路標識等のポール５１に固定する際には、上記同様に、使用者は、カメラ本体２の上面部に設けられた吸着位置を示す指標２０を基準にしてカメラ本体２を吸着装置３０を介してポール５１に押し付ける。
【００３３】
ここで、第２の緩衝部材３３の厚さｔ２（図２（ｂ）参照）と吸着素材３１の長辺方向（図中ｘ方向）と同方向の第２の緩衝部材３３の幅ｗ２（図３参照）との比ｔ２／ｗ２は、０．２≧ｔ２／ｗ２≧０．０７５の関係になるのが好ましい。
【００３４】
これにより、カメラ１の図中ｚ方向の厚さを厚くすることなく、第２の緩衝部材３３を道路標識等のポール５１の円筒面に沿ってより変形しやすくすることができる。その結果、吸着素材３１が曲率の小さいポール５１の円筒面に沿って変形して広い面積で吸着し、良好な吸着力を確保することができる。
【００３５】
以上説明したように、本実施形態では、従来のように、吸着面に対して鉛直方向に配置したコイルスプリング等の付勢手段を用いなくても、吸着素材３１を電柱５０や標識等のポール５１に沿って変形させて広い面積で吸着させることができる。これにより、吸着装置３０を備えるデジタルカメラ１の携帯性を損なうことなく、電柱５０や標識のポール５１等の湾曲面に対してデジタルカメラ１を安定した状態で吸着させることができる。
【００３６】
（第２の実施形態）
次に、図５乃至図７を参照して、本発明の撮像装置の第２の実施形態であるデジタルカメラについて説明する。なお、上記第１の実施形態に対して重複又は相当する部分については、各図に同一符号を付して説明する。
【００３７】
図５（ａ）は本実施形態のデジタルカメラ１Ａの蓋ユニット３Ａを開いた状態を示す図、図５（ｂ）は図５（ａ）の上面図である。図６は、図５（ａ）の背面図である。なお、図５（ｂ）では、吸着装置３０を断面図で示している。
【００３８】
図５に示すように、本実施形態のデジタルカメラ１Ａは、カメラ本体２Ａの正面側に液晶等の表示モニタ１０等が設けられ、カメラ本体２Ａの下面部には、モード切替ダイアル６、及びレリーズボタン７等が設けられる。カメラ本体２Ａの背面側中央には、吸着装置３０が設けられている。また、カメラ本体２Ａの上面部には、吸着位置を示す指標２０，２１が設けられている。
【００３９】
カメラ本体２Ａの背面側には、閉じ状態で吸着装置３０（図２（ｂ）参照）を覆って保護する蓋ユニット３Ａが設けられる。蓋ユニット３Ａは、カメラ本体２Ａを正面側から見て右側の側部に設けられたヒンジ部４を介してカメラ本体２Ａの背面部に対して開閉方向に回動可能に支持されている。
【００４０】
また、カメラ本体２Ａを正面側から見て右側の側部には、図のｘ軸と平行な回転軸４０が設けられ、回転軸４０には、レンズ鏡筒９が回転軸４０を中心に回転可能に連結されている。また、レンズ鏡筒９に設けられたレンズ部４１は、レンズ鏡筒９に対して図のｙ軸と平行な軸を中心に回転可能になっている。その結果、本実施形態のデジタルカメラ１Ａは、ガラス等の透明な壁面に吸着させてガラス越しにも撮影可能になっている。
【００４１】
なお、カメラ本体２Ａに設けた当接部２ａ、ロック穴２ｂ、及び開閉検出センサ５は、上記第１の実施形態のカメラ本体２に設けたものと同様である。また、蓋ユニット３Ａに設けた当接部３ａ、ロックピン３ｂ、スライド部３ｃ、及び収納凹部３ｄについても、上記第１の実施形態の表示ユニット３に設けたものと同様である。収納凹部３ｄには、蓋ユニット３Ａを閉じた状態でカメラ本体２Ａの背面部中央に設けられる吸着装置３０Ａが収納される。
【００４２】
次に、吸着装置３０Ａについて説明する。吸着装置３０Ａは、電柱や標識のポール等の湾曲面（円筒面）に吸着可能に構成され、図５（ｂ）及び図６に示すように、基材３４に対して、第２の緩衝部材３３、第１の緩衝部材３２、及び吸着素材３１が順番に積層されている。
【００４３】
基材３４及び吸着素材３１は、共にカメラ本体２Ａの幅方向（図の左右方向）に長い矩形状に形成され、吸着素材３１は、平坦面での吸着領域を確保するため、第１の緩衝部材３２を覆いながら基材３４の全領域に渡って配設されている。
【００４４】
一方、第１の緩衝部材３２は、カメラ本体２を吸着装置３０を介して電柱等に固定する際に弾性変形し、これにより、吸着素材３１が電柱の円筒面に沿って変形しながら電柱に吸着固定されるようになっている。このため、第１の緩衝部材３２の弾性率Ｅ２は、吸着素材３１の弾性率Ｅ１より小さく設定されている。
【００４５】
同様に、第２の緩衝部材３３は、カメラ１Ａを吸着装置３０を介して電柱より小径の標識のポール等に固定する際に、第１の緩衝部材３２と共に弾性変形する。これにより、吸着素材３１がポールの円筒面に沿って変形しながらポールに吸着固定されるようになっている。そのため、第２の緩衝部材３３の弾性率Ｅ３は、第１の緩衝部材３２の弾性率Ｅ２と略同等か弾性率Ｅ２より小さく設定されている。
【００４６】
また、吸着素材３１、第１の緩衝部材３２及び第２の緩衝部材３３の面積は、平面及あるいは曲率の異なる円筒面に対して良好に吸着可能なように、吸着素材３１の面積Ｓ１＞第１の緩衝部材３２の面積Ｓ２＞第２の緩衝部材３３の面積Ｓ３の関係になっている。
【００４７】
図７（ａ）は、カメラ１Ａが吸着装置３０Ａを介して電柱５０に吸着固定されている状態を示す図である。なお、図７（ａ）では、吸着装置３０Ａ及び電柱５０は、断面図で示している。また、蓋ユニット３Ａは、カメラ本体２Ａに対して全開状態（略１８０°）となっている。
【００４８】
カメラ本体２Ａを吸着装置３０Ａを介して電柱５０に固定する際には、使用者は、カメラ本体２Ａの上面部に設けられた吸着位置を示す指標２０を基準にしてカメラ本体２Ａを吸着装置３０Ａを介して電柱５０に押し付ける。
【００４９】
ここで、指標２０は、吸着装置３０Ａの図中ｘ方向の略中心となる位置に配置されている。これにより、カメラ１Ａを曲率の大きい電柱等の円筒面に吸着させた際、十分な吸着面積を確保できるようになっている。
【００５０】
また、第１の緩衝部材３２の厚さｔ１（図５（ｂ）参照）と吸着素材３１の長辺方向（図中ｘ方向）と同方向の第１の緩衝部材３２の幅ｗ１（図６参照）との比ｔ１／ｗ１は、０．１≧ｔ１／ｗ１≧０．０５の関係になるのが好ましい。
【００５１】
これにより、カメラ１Ａの図中ｚ方向の厚さを厚くすることなく、第１の緩衝部材３２を電柱５０の円筒面に沿ってより弾性変形しやすくすることができる。その結果、吸着素材３１が曲率の大きい電柱５０の円筒面に沿って変形して広い面積で吸着し、良好な吸着力を確保することができる。
【００５２】
図７（ｂ）は、カメラ１Ａが吸着装置３０Ａを介して道路標識等のポール５１に吸着固定されている状態を示す図である。なお、図７（ｂ）では、吸着装置３０Ａ及びポール５１は、断面図で示している。また、蓋ユニット３Ａは、カメラ本体２Ａに対して全開状態（略１８０°）となっている。
【００５３】
カメラ本体２Ａを吸着装置３０Ａを介して道路標識等のポール５１に固定する際には、上記同様に、使用者は、カメラ本体２Ａの上面部に設けられた吸着位置を示す指標２１を基準にしてカメラ本体２Ａを吸着装置３０Ａを介してポール５１に押し付ける。
【００５４】
ここで、指標２１は、カメラ本体２Ａに対して蓋ユニット３Ａが開いた状態で図中ｘ方向のカメラ１Ａの重心位置に配置されている。また、本実施形態では、指標２１の位置は、指標２０に対してヒンジ部４側に離間して配置され、吸着装置３０Ａの第２の緩衝部材３３の図中ｘ方向の中心位置と略一致している。
【００５５】
これにより、カメラ本体２Ａを曲率が小さい標識等のポールの円筒面に吸着固定した際に、図中ｘ−ｙ平面における回転モーメントが発生しないようにして、回転モーメントによる吸着力の低下を防止している。
【００５６】
また、第２の緩衝部材３３の厚さｔ２（図５（ｂ）参照）と吸着素材３１の長辺方向（図中ｘ方向）と同方向の第２の緩衝部材３３の幅ｗ２（図６参照）との比ｔ２／ｗ２は、０．２≧ｔ２／ｗ２≧０．０７５の関係になるのが好ましい。
【００５７】
これにより、カメラ１Ａの図中ｚ方向の厚さを厚くすることなく、第２の緩衝部材３３を道路標識等のポール５１の円筒面に沿ってより変形しやすくすることができる。その結果、吸着素材３１が曲率の小さいポール５１の円筒面に沿って変形して広い面積で吸着し、良好な吸着力を確保することができる。その他の構成、及び作用効果は、上記第１の実施形態と同様である。
【００５８】
なお、本発明の構成は、上記各実施形態に例示したものに限定されるものではなく、材質、形状、寸法、形態、数、配置箇所等は、本発明の要旨を逸脱しない範囲において適宜変更可能である。
【符号の説明】
【００５９】
２  カメラ本体
３  表示ユニット
２０  指標
３０  吸着装置
３１  吸着素材
３２  第１の緩衝部材
３３  第２の緩衝部材
３４  基材
【図１】
2015219264.tif 000003
【図２】
2015219264.tif 000004
【図３】
2015219264.tif 000005
【図４】
2015219264.tif 000006
【図５】
2015219264.tif 000007
【図６】
2015219264.tif 000008
【図７】
2015219264.tif 000009